(57)【要約】【課題】  簡素な機構で、掛け始めから着用時に至るまで、優れた装用感を得ることができる眼鏡の高フィッティング複合モダンを提供すること。【解決手段】  モダン本体部１の後端部には枢支部11を形成して、かつ、弧面内側には磁石３Ａを配設する一方、可動パーツ２のヒンジ部21を前記モダン本体部１の枢支部11にベルクランク式に枢結して、かつ、上端部近傍の前記磁石３Ａに対向する部位には磁石３Ｂを配設し、前記モダン本体部１および可動パーツ２にそれぞれ配設された磁石３Ａ・３Ｂは、同磁極を対面せしめて反発方向に付勢された状態で固定する一方、前記可動パーツ２の上端部をモダン本体部１から離隔せしめて、かつ、所定角度以上の拡開動作を制限した状態で、前記モダン本体部１と可動パーツ２とを枢支して、着用者の耳の付け根部分に沿って軟接触可能にするという技術的手段を採用した。【選択図】  図２
2008122910.tif 000002
【特許請求の範囲】
【請求項１】
眼鏡テンプルＴの先端部に配設されるモダン部品であって、
モダン本体部１は、前記眼鏡テンプルＴの先端部に止着可能な合口部12を基端部に備えた弓形湾曲部材であって、後端部には枢支部11が形成され、かつ、弧面内側には磁石３Ａが配設されている一方、
可動パーツ２は、中域部の前記枢支部11に対向して連結される部位にヒンジ部21が成形された弓形湾曲部材であって、このヒンジ部21が前記モダン本体部１の枢支部11にベルクランク式に枢結され、かつ、上端部近傍の前記磁石３Ａに対向する部位には磁石３Ｂが配設されており、
前記モダン本体部１および可動パーツ２にそれぞれ配設された磁石３Ａ・３Ｂは、同磁極を対面せしめて反発方向に付勢された状態で固定されている一方、
前記可動パーツ２の上端部をモダン本体部１から離隔せしめて、かつ、所定角度以上の拡開動作を制限した状態で、前記モダン本体部１と可動パーツ２とが枢支されており、
着用者の耳の付け根部分に沿って軟接触可能であることを特徴とする眼鏡の高フィッティング複合モダン。
【請求項２】
モダン本体部１の枢支部11と可動パーツ２のヒンジ部21との枢結箇所が、駒部品で構成されており、可動パーツ２の駒部品に規制カム22が成形されていることを特徴とする請求項１記載の眼鏡の高フィッティング複合モダン。
【請求項３】
合口部12に複数の止着孔12ａ・12ａ…を設け、眼鏡テンプルＴの取付位置を調節可能にしたことを特徴とする請求項１または２記載の眼鏡の高フィッティング複合モダン。
【請求項４】
モダン本体部１の弧面内側にガイドスリット13が設けられており、このガイドスリットに可動パーツ２の上端部が介挿されることを特徴とする請求項１〜３の何れか一つに記載の眼鏡の高フィッティング複合モダン。
【発明の詳細な説明】
【技術分野】
【０００１】
本発明は、眼鏡部品の改良、更に詳しくは、簡素な機構で、掛け始めから着用時に至るまで、優れた装用感を得ることができる眼鏡の高フィッティング複合モダンに関するものである。
【背景技術】
【０００２】
周知のとおり、眼鏡やサングラスを着用する際には、着用者がテンプルを耳に掛けることによって頭部に固定するのが一般的であり、通常、このテンプルの先端にはモダンが配設されており（例えば、特許文献１参照）、耳の付け根部分に直に接触する。
【０００３】
したがって、かかるモダンは、眼鏡着用の掛装動作を行う上で、人体に最初に接触するファーストタッチ部材であるゆえ、その感触は非常に重要であり、例えば、店頭に陳列した眼鏡を手に取って試着する際に、商品の印象および購買決定の判断を左右すると言っても過言ではない。
【０００４】
また、着用時においても、眼鏡に対する一寸した衝撃に対して着用者の耳を傷付けないような緩衝機能を付与することが好ましい。
【特許文献１】登録実用新案第３００７５２７号公報  （第５−６頁、図１−２）
【発明の開示】
【発明が解決しようとする課題】
【０００５】
本発明は、上記欠点に鑑みて為されたものであり、その目的とするところは、簡素な機構で、掛け始めから着用時に至るまで、優れた装用感を得ることができる眼鏡の高フィッティング複合モダンを提供することにある。
【課題を解決するための手段】
【０００６】
本発明者が上記課題を解決するために採用した手段を添付図面を参照して説明すれば次のとおりである。
【０００７】
即ち、本発明は、眼鏡テンプルＴの先端部に配設されるモダン部品であって、
モダン本体部１は、前記眼鏡テンプルＴの先端部に止着可能な合口部12を基端部に備えた弓形湾曲部材であって、後端部には枢支部11を形成して、かつ、弧面内側には磁石３Ａを配設する一方、
可動パーツ２は、中域部の前記枢支部11に対向して連結される部位にヒンジ部21が成形された弓形湾曲部材であって、このヒンジ部21を前記モダン本体部１の枢支部11にベルクランク式に枢結して、かつ、上端部近傍の前記磁石３Ａに対向する部位には磁石３Ｂを配設し、
前記モダン本体部１および可動パーツ２にそれぞれ配設された磁石３Ａ・３Ｂは、同磁極を対面せしめて反発方向に付勢された状態で固定する一方、
前記可動パーツ２の上端部をモダン本体部１から離隔せしめて、かつ、所定角度以上の拡開動作を制限した状態で、前記モダン本体部１と可動パーツ２とを枢支して、
着用者の耳の付け根部分に沿って軟接触可能にするという技術的手段を採用した。
【０００８】
また、本発明は、上記課題を解決するために、必要に応じて上記手段に加え、モダン本体部１の枢支部11と可動パーツ２のヒンジ部21との枢結箇所を駒部品で構成して、可動パーツ２の駒部品に規制カム22を成形するという技術的手段を採用した。
【０００９】
更にまた、本発明は、上記課題を解決するために、必要に応じて上記手段に加え、合口部12に複数の止着孔12ａ・12ａ…を設け、眼鏡テンプルＴの取付位置を調節可能にするという技術的手段を採用した。
【００１０】
更にまた、本発明は、上記課題を解決するために、必要に応じて上記手段に加え、モダン本体部１の弧面内側にガイドスリット13を設け、このガイドスリットに可動パーツ２の上端部を介挿するという技術的手段を採用した。
【発明の効果】
【００１１】
本発明は、モダン本体部の後端部に枢支部を形成して、かつ、弧面内側には磁石を配設する一方、可動パーツのヒンジ部を前記モダン本体部の枢支部にベルクランク式に枢結して、かつ、上端部近傍の前記磁石３Ａに対向する部位には磁石を配設し、前記モダン本体部および可動パーツにそれぞれ配設した磁石を、同磁極を対面せしめて反発方向に付勢した状態で固定する一方、
前記可動パーツの上端部をモダン本体部から離隔せしめて、かつ、所定角度以上の拡開動作を制限した状態で、前記モダン本体部と可動パーツとを枢支したことによって、着用者の耳の付け根部分に可動パーツを載置させるとき、モダン部品の自重によって、上端部を押し上げるとともに先端部を内側にリンク連動せしめ、当該付け根部分に沿って軟接触せしめることができる。
【００１２】
したがって、本発明の複合モダンにあっては、簡素な機構で、掛け始めから着用時に至るまで、優れた装用感を得ることができることから、眼鏡部品としての実用的利用価値は頗る高いものがある。
【発明を実施するための最良の形態】
【００１３】
本発明を実施するための最良の形態を具体的に図示した図面に基づいて更に詳細に説明すると、次のとおりである。
【００１４】
本発明の実施形態を図１から図５に基づいて説明する。図中、符号１で指示するものはモダン本体部であり、このモダン本体部１は、眼鏡テンプルＴの先端部に止着可能な合口部12を基端部に備えた弓形湾曲部材であって、後端部には枢支部11が形成されている。なお、本実施形態では、使用材料として、セルロースプロピオネート、アセチルセルロースなどの繊維素系樹脂や、ポリアミド樹脂等のプラスチック、あるいは、ポリアミド系、ポリエステル系、ポリウレタン系のエラストマーなどの軟質材を採用することができる。
【００１５】
また、符号２で指示するものは可動パーツであり、この可動パーツ２は、中域部の前記枢支部11に対向して連結される部位にヒンジ部21が成形された弓形湾曲部材であって、使用材料は、前記モダン本体部１と同等のものを採用することができる。
【００１６】
しかして、本発明は、図１に示すように、眼鏡テンプルＴの先端部に配設されるモダン部品であって、具体的構成について以下に説明する。まず、前記のように、モダン本体部１は、前記眼鏡テンプルＴの先端部に止着可能な合口部12を基端部に備えた弓形湾曲部材であって、後端部には枢支部11を形成する。そして、この弧面内側には磁石３Ａを配設する。
【００１７】
また、可動パーツ２は、中域部の前記枢支部11に対向して連結される部位にヒンジ部21が成形された弓形湾曲部材であって、このヒンジ部21を前記モダン本体部１の枢支部11にベルクランク式に枢結する。そして、上端部近傍の前記磁石３Ａに対向する部位には磁石３Ｂを配設する。
【００１８】
前記モダン本体部１および可動パーツ２に磁石３Ａ・３Ｂをそれぞれ配設する際には、同磁極（即ち、Ｎ極同士またはＳ極同士）を対面せしめて反発方向に付勢した状態で固定する。
【００１９】
また、前記可動パーツ２の上端部をモダン本体部１から離隔せしめて、かつ、所定角度以上の拡開動作を制限した状態で、前記モダン本体部１と可動パーツ２とを枢支する（図２参照）。
【００２０】
こうすることによって、着用者の耳の付け根部分に可動パーツ２を載置させるとき、モダン部品の自重によって、上端部を押し上げるとともに先端部を内側にリンク連動せしめて（図３参照）、当該付け根部分に沿って軟接触せしめることができ、不要な圧力などによる痛みを生じることがなく快適なフィット感を得ることができる。
【００２１】
本実施形態では、図４に示すように、モダン本体部１の弧面内側にガイドスリット13を設け、このガイドスリットに可動パーツ２の上端部を介挿することができ、両部材が外れることなく、可動部の動作をガイドして安定的にすることができる。
【００２２】
なお、本実施形態では、モダン本体部１の枢支部11と可動パーツ２のヒンジ部21との枢結箇所を、駒部品で構成して、可動パーツ２の駒部品に規制カム22を成形することができ（図５参照）、一定の離隔距離を適切に保持することができる。
【００２３】
本発明は、概ね上記のように構成されるが、図示の実施形態に限定されるものでは決してなく、「特許請求の範囲」の記載内において種々の変更が可能であって、例えば、図６に示すように、合口部12に複数の止着孔12ａ・12ａ…を設けることができ、着用者の頭部サイズに合わせて眼鏡テンプルＴの取付位置を調節可能にすることができ、本発明の技術的範囲に属する。
【図面の簡単な説明】
【００２４】
【図１】本発明の実施形態の眼鏡を表わす全体斜視図である。
【図２】本発明の実施形態のモダンを表わす側面図である。
【図３】本発明の実施形態のモダンを表わす側面図である。
【図４】本発明の実施形態のモダンを表わす背面図である。
【図５】本発明の実施形態のモダンの構成を表わす説明側面図である。
【図６】本発明の実施形態のモダンの変形例を表わす側面図である。
【符号の説明】
【００２５】
１    モダン本体部
11    枢支部
12    合口部
12ａ  止着孔
13    ガイドスリット
２    可動パーツ
21    ヒンジ部
22    規制カム
３Ａ・３Ｂ  磁石
Ｔ    眼鏡テンプル
【図１】
2008122910.tif 000003
【図２】
2008122910.tif 000004
【図３】
2008122910.tif 000005
【図４】
2008122910.tif 000006
【図５】
2008122910.tif 000007
【図６】
2008122910.tif 000008